(57)【要約】【課題】ユーザ指定によらず多チャネルまたは全チャネルの自動録画が可能な録画装置において、この２系統の録画機能を連動させ、同時間帯における予約可能なチャネル数を増やす。【解決手段】ユーザ指定による番組予約録画機能および多チャネルの番組の自動録画機能を有する、テレビジョン放送の録画装置であって、ユーザ指定により番組予約可能なチャネル数を超えて予約が指定された場合、ユーザ指定による予約録画不可能な番組の予約に対し、多チャネルの番組の自動録画機能により自動録画された当該番組の録画データを、ユーザ指定による番組予約録画機能による録画データとして記録手段へ記録させる番組録画制御手段を有する録画装置を提供する。【選択図】  図５
2010118867.tif 000002
【特許請求の範囲】
【請求項１】
ユーザ指定による番組予約録画機能および多チャネルの番組の自動録画機能を有する、テレビジョン放送の録画装置であって、
ユーザ指定により番組予約可能なチャネル数を超えて前記番組予約録画機能への予約が指定された場合、このユーザ指定による予約録画不可能な番組の予約に対し、前記多チャネルの番組の自動録画機能により自動録画された当該番組の録画データを、前記ユーザ指定による番組予約録画機能による録画データとして記録手段へ記録させる番組録画制御手段を有する
ことを特徴とする録画装置。
【請求項２】
前記多チャネルの番組の自動録画機能により自動録画された当該番組の録画データを、前記ユーザ指定による番組予約録画機能による録画データとして記録手段へ記録させる制御は、前記多チャネルの番組の自動録画機能により録画データが記録された第１の記憶手段から、ユーザ指定による番組予約録画機能により録画データが記録される第２の記憶手段へダビングすることにより行われることを特徴とする請求項１に記載の録画装置。
【請求項３】
ユーザ指定による番組予約録画機能による予約か、前記多チャネルの番組の自動録画機能を利用した予約かをユーザが識別可能に表示させる表示制御手段をさらに備えることを特徴とする請求項１または請求項２に記載の録画装置。
【請求項４】
前記番組録画制御手段は、前記多チャネルの番組の自動録画機能がテレビジョン放送の全チャネルに対応しない場合、前記多チャネルの番組の自動録画機能により録画可能なチャネルであって前記ユーザ指定による番組予約録画機能による録画予約を、前記多チャネルの番組の自動録画機能を利用した録画予約に振り替える制御をすることを特徴とする請求項１乃至３のいずれか１項に記載の録画装置。
【請求項５】
前記番組録画制御手段は、前記ユーザ指定による番組予約録画機能で録画不可能な数の番組を予約された場合に、前記多チャネルの番組の自動録画機能による録画番組と重複する、前記ユーザ指定による番組予約録画機能による予約番組に対して、前記振り替えの制御を実行することを特徴とする請求項４に記載の録画装置。
【請求項６】
前記番組録画制御手段は、前記多チャネルの番組の自動録画機能を利用して移動のみ可能な放送番組を予約録画した場合、録画した録画データを、録画終了後も一定期間移動させず、録画データが自動消去される前の、前記第１の記憶手段から前記第２の記憶手段への移動を十分行えるタイミングで、自動的に移動させる制御をすることを特徴とする請求項２に記載の録画装置。
【請求項７】
特定の時間帯のみ前記多チャネルの番組の自動録画機能により自動録画するよう設定されている場合で、前記多チャネルの番組の自動録画機能を利用した番組予約対象となる番組の放送時間帯が、前記多チャネルの番組の自動録画機能により自動録画の記録時間帯でない場合、前記多チャネルの番組の自動録画機能を利用した録画予約対象となる番組の放送時間帯を、前記多チャネルの番組の自動録画機能による自動録画の記録時間帯として設定することを特徴とする請求項１乃至６のいずれか１項に記載の録画装置。
【請求項８】
ユーザ指定による番組予約録画機能および多チャネルの番組の自動録画機能を有する、テレビジョン放送の録画装置の制御方法であって、
ユーザ指定により番組予約可能なチャネル数を超えて前記番組予約録画機能への予約が指定された場合、このユーザ指定による予約録画不可能な番組の予約に対し、前記多チャネルの番組の自動録画機能により自動録画された当該番組の録画データを、前記ユーザ指定による番組予約録画機能による録画データとして記録手段へ記録させる
ことを特徴とする録画装置の制御方法。
【発明の詳細な説明】
【技術分野】
【０００１】
この発明は、録画装置に関し、特にはテレビジョン放送を受信し、ユーザ指定の特定チャネルの録画と、ユーザ指定によらず多チャネルまたは全チャネルの自動録画が可能な録画装置に関する。
【背景技術】
【０００２】
現在、特許文献１に開示されたもののような、多チャネルの録画ができる記録装置がある。さらに高機能の録画装置では、ユーザが予約したユーザ指定の番組を録画する機能（ＰＶＲ（Ｐｅｒｓｏｎａｌ  Ｖｉｄｅｏ  Ｒｅｃｏｒｄｅｒ）録画機能）と、ユーザ指定によらずに（予約なしに）マルチチャンネルまたは全チャネルを自動的に録画する機能（丸録り録画機能）の２系統の録画機能を備えるものがある。このような録画装置のＰＶＲ録画では、録画チャネル数に制限がある一方で、丸録り録画では、録画装置に記憶容量に限りがあることから、通常古い録画内容から自動的に消去される構成となっている。
【０００３】
【特許文献１】特開２００６−３３２８７３号公報
【発明の開示】
【発明が解決しようとする課題】
【０００４】
上記のような２系統の録画機能を有する高機能の録画装置であっても、その２系統の録画機能が独立して動作することから、ＰＶＲ録画機能による録画チャネル数よりも多くのチャネルの番組録画ができるにもかかわらず、ＰＶＲ録画機能で同時間帯に予約できるチャネル数に制限があった。また、自動録画された番組内容は、消去前ならば視聴できるが、時間が経過すると古いものから自動的に消去されるので、ユーザが視聴を望んだ番組で予約チャネル数の制限のため番組予約できなかった番組は、視聴できずに終わってしまうことがあった。
【０００５】
この発明は、ユーザ指定の特定チャネルの録画と、ユーザ指定によらず多チャネルまたは全チャネルの自動録画が可能な録画装置において、この２系統の録画機能を連動させ、同時間帯における予約可能なチャネル数を増やすことができる録画装置を提供することを目的とする。
【課題を解決するための手段】
【０００６】
上記の目的を達成するために、この発明においては、ユーザ指定による番組予約録画機能および多チャネルの番組の自動録画機能を有する、テレビジョン放送の録画装置であって、ユーザ指定により番組予約可能なチャネル数を超えて前記番組予約録画機能への予約が指定された場合、このユーザ指定による予約録画不可能な番組の予約に対し、前記多チャネルの番組の自動録画機能により自動録画された当該番組の録画データを、前記ユーザ指定による番組予約録画機能による録画データとして記録手段へ記録させる番組録画制御手段を有することを特徴とする録画装置を提供する。
【０００７】
さらに、ユーザ指定による番組予約録画機能および多チャネルの番組の自動録画機能を有する、テレビジョン放送の録画装置の制御方法であって、ユーザ指定により番組予約可能なチャネル数を超えて前記番組予約録画機能への予約が指定された場合、このユーザ指定による予約録画不可能な番組の予約に対し、前記多チャネルの番組の自動録画機能により自動録画された当該番組の録画データを、前記ユーザ指定による番組予約録画機能による録画データとして記録手段へ記録させることを特徴とする録画装置の制御方法を提供する。
【発明の効果】
【０００８】
この発明によれば、ユーザ指定の特定チャネルの録画と、ユーザ指定によらず多チャネルまたは全チャネルの自動録画が可能な録画装置において、同時間帯における予約可能なチャネル数を増やすことが可能となる。
【発明を実施するための最良の形態】
【０００９】
以下、図面を参照しながら本発明の実施形態について説明する。
以下では、本発明の一実施形態としてデジタルテレビジョン放送録画装置を例に説明をするが、アナログテレビジョン放送用の録画装置にも適用可能である。
なお、デジタルテレビジョン放送については標準化されており、規格で定められる詳細については本明細書においてその説明を省略する。
【００１０】
はじめに、図１に、本発明の一実施形態に係るデジタルテレビジョン放送録画装置１０１の利用環境を示す。
【００１１】
図１に示すように、デジタルテレビジョン放送録画装置１０１は、その入力側にＢＳ／ＣＳデジタル放送受信用のアンテナ１２１と地上波放送受信用のアンテナ１２２が接続され、出力側にデジタルテレビジョン放送受像器１１１が接続される。デジタルテレビジョン放送録画装置１０１は、受信したデジタルテレビジョン放送信号をデコードすることにより番組を記録可能であり、また、放送中の番組または記録された番組の映像信号および音声信号をデジタルテレビジョン放送受像器１１１に供給し、デジタルテレビジョン放送受像器１１１にて番組を視聴できるようになっている。
【００１２】
また、図１（及び後述の図２）に示すデジタルテレビジョン放送録画装置１０１は、ＢＳ／ＣＳデジタル放送受信用と地上波放送受信用の２系統のみ簡易的に図示しているが、本実施形態のデジタルテレビジョン放送録画装置１０１は、ＰＶＲ録画用と丸録り録画用にそれぞれ多チャネルの番組を録画可能であり、そのためにＢＳ／ＣＳデジタル放送受信用と地上波放送受信用ともにそれぞれ複数のチューナ等の受信回路を備える構成となっている。
【００１３】
続いて、デジタルテレビジョン放送録画装置１０１のハードウェア構成について説明する。
図２は、上記したデジタルテレビジョン放送録画装置１０１の主要な信号処理系を示すブロック図である。
【００１４】
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
チューナ２０２ａは、制御部２０５からの制御信号により所望のチャネルの放送信号を選局し、この選局された放送信号をＰＳＫ（Ｐｈａｓｅ  Ｓｈｉｆｔ  Ｋｅｙｉｎｇ）復調器２０２ｂに出力する。
【００１５】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１６】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファ（図示せず）へ出力する。
また、ＴＳ復号器２０２ｃは、デジタル放送により送られているセクション情報を信号処理部２０６内のセクション処理部（図示せず）へ出力する。
【００１７】
地上波放送受信用のアンテナ１２２で受信した地上デジタルテレビジョン放送信号は、入力端子２０３を介して地上デジタル放送用のチューナ２０４ａに供給される。
チューナ２０４ａは、制御部２０５からの制御信号により所望のチャネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２０４ｂに出力する。
【００１８】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００１９】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファへ出力する。
また、ＴＳ復号器２０４ｃは、デジタル放送により送られているセクション情報を信号処理部２０６内のセクション処理部へ出力する。
【００２０】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介してＰＶＲ録画用記録装置（例えば、ＨＤＤ）２７０または丸録り録画用記録装置（例えば、ＨＤＤ）２７１に記録している。また、信号処理部２０６は、録画番組再生時には、制御部２０５を介してＰＶＲ録画用記録装置（例えば、ＨＤＤ）２７０または丸録り録画用記録装置２７１から読み出された録画番組のデータに、所定のデジタル信号処理を施し、グラフィック処理部２０７及び音声処理部２０８に出力している。
図２には図示されていないがチューナー２０２ａ、ＰＳＫ復調器２０２ｂ、ＴＳ復号器２０２ｃ、チューナ２０４ａ、ＯＦＤＭ復調器２０４ｂ、ＴＳ復号器２０２ｃは丸録り機能に必要な数以上の系統を備える。例えば在京地上波キー局を全て記録できる装置の場合、チューナ２０４ａ、ＯＦＤＭ復調器２０４ｂ、ＴＳ復号器２０２ｃを７系統以上備える。
【００２１】
制御部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。
制御部２０５は、これら入力された情報からＥＰＧ，字幕を表示するため画像生成処理を行い、この生成した画像情報をグラフィック処理部２０７へ出力する。
【００２２】
また、この制御部２０５は、番組録画および番組予約録画を制御する機能（番組録画制御機能２５０）を有し、番組予約受付時には、外部の表示装置（例えば、デジタルテレビジョン放送受像器）に電子番組ガイド（ＥＰＧ）情報を表示し、操作部２２０またはリモートコントローラ２２１を介したユーザ入力により予約内容を所定の記憶手段に設定する。そして、設定された時刻に予約番組を録画するようチューナ２０２ａ，２０４ａ、ＰＳＫ復調器２０２ｂ，２０４ｂ、ＴＳ復号器２０２ｃ，２０４ｃおよび信号処理部２０６を制御する。また、丸録り録画機能として当該装置で録画可能な全チャネルの番組を自動録画する際は、予約とは別に設定された時間帯に各デバイスを制御し録画を行う。
【００２３】
セクション処理部は、ＴＳ復号器２０２ｃ（２０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２０５へ出力する。
【００２４】
グラフィック処理部２０７は、（１）信号処理部２０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部２０９で生成されるＯＳＤ信号と、（３）データ放送による画像データと、（４）制御部２０５により生成されたＥＰＧ，字幕信号とを合成して映像処理部２１０へ出力する機能を有する。
また、字幕放送による字幕を表示するとき、グラフィック処理部２０７は、制御部２０５からの制御による字幕情報に基づき、映像信号上に字幕情報を重畳する処理を行う。
【００２５】
グラフィック処理部２０７から出力されたデジタルの映像信号は、映像処理部２１０に供給される。この映像処理部２１０は、入力されたデジタルの映像信号を、デジタルテレビジョン放送受像器１１１で表示可能なフォーマットのアナログ映像信号に変換した後、出力端子２１１を介してデジタルテレビジョン放送受像器１１１に出力して映像表示させる。
【００２６】
また、上記音声処理部２０８は、入力されたデジタルの音声信号を、デジタルテレビジョン放送受像器１１１で再生可能なフォーマットのアナログ音声信号に変換した後、出力端子２１２を介してデジタルテレビジョン放送受像器１１１に出力して音声再生させる。
【００２７】
ここで、このデジタルテレビジョン放送録画装置１０１は、上記した各種の受信動作を含むその全ての動作を制御部２０５によって統括的に制御されている。この制御部２０５は、ＣＰＵ（Ｃｅｎｔｒａｌ  Ｐｒｏｃｅｓｓｉｎｇ  Ｕｎｉｔ）等を内蔵しており、操作部２２０からの操作情報を受け、または、リモートコントローラ２２１から送出された操作情報を、受光部２２２を介して受信し、その操作内容が反映されるように各部をそれぞれ制御している。
【００２８】
この場合、制御部２０５は、主として、そのＣＰＵが実行する制御プログラムを格納したＲＯＭ（Ｒｅａｄ  Ｏｎｌｙ  Ｍｅｍｏｒｙ）２０５ａと、当該ＣＰＵに作業エリアを提供するＲＡＭ（Ｒａｎｄｏｍ  Ａｃｃｅｓｓ  Ｍｅｍｏｒｙ）２０５ｂと、各種の設定情報及び制御情報等が格納される不揮発性メモリ２０５ｃとを利用している。
【００２９】
また、この制御部２０５は、カードＩ／Ｆ（Ｉｎｔｅｒｆａｃｅ）２２３を介して、第１のメモリカード２２４が装着可能なカードホルダ２２５に接続されている。これによって、制御部２０５は、カードホルダ２２５に装着された第１のメモリカード２２４と、カードＩ／Ｆ２２３を介して情報伝送することができる。
【００３０】
さらに、上記制御部２０５は、カードＩ／Ｆ２２６を介して、第２のメモリカード２２７が装着可能なカードホルダ２２８に接続されている。これにより、制御部２０５は、カードホルダ２２８に装着された第２のメモリカード２２７と、カードＩ／Ｆ２２６を介して情報伝送することができる。
【００３１】
また、上記制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器（例えば、外付けＨＤＤ）と、通信Ｉ／Ｆ２２９を介して情報伝送することができる。この場合、制御部２０５は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有し、第１のＬＡＮ端子２３０に接続されたＬＡＮ対応の機器にＩＰ（Ｉｎｔｅｒｎｅｔ  Ｐｒｏｔｏｃｏｌ）アドレスを割り当てて制御している。
【００３２】
さらに、上記制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００３３】
また、上記制御部２０５は、ＵＳＢ  Ｉ／Ｆ２３３を介して前記ＵＳＢ端子２３４に接続されている。これにより、制御部２０５は、ＵＳＢ端子２３４に接続された各種機器と、ＵＳＢ  Ｉ／Ｆ２３３を介して情報伝送することができる。
【００３４】
さらに、上記制御部２０５は、ｉ．ＬＩＮＫ  Ｉ／Ｆ２３５を介してｉ．ＬＩＮＫ端子２３６に接続されている。これにより、制御部２０５は、ｉ．ＬＩＮＫ端子２３６に接続された各種機器と、ｉ．ＬＩＮＫ  Ｉ／Ｆ２３５を介して情報伝送することができる。
【００３５】
ここで、理解を容易にするため、上記ハードウェア構成を有するデジタルテレビジョン放送録画装置１０１の、この発明に係わる機能ブロックを、概念的に図３に示す。なお、図２の構成要素と共通する部分には同一の符号を付している。
【００３６】
同図に示すように、番組録画制御機能２５０は、丸録り録画を管理する丸録り録画管理部３０１と、ＰＲＶ録画を管理するＰＶＲ録画管理部３０２と、予約処理部３０３を有している。チューナ１〜ｎを介して得られる各チャネルの番組は、丸録り録画管理部３０１により丸録り録画用記録装置２７１に録画される。一方、チューナｎ＋１およびチューナｎ＋２を介して得られる各チャネルの番組は、ＰＶＲ録画管理部３０２によりＰＶＲ録画用記録装置２７０に録画される。
【００３７】
従来は、丸録り録画管理部３０１とＰＶＲ記録管理部３０２が独立して録画管理を行い、予約処理部３０３はＰＶＲ記録管理部３０２に対し番組録画予約のための処理を行っていた。本実施形態では、予約処理部３０３が、丸録り録画管理部３０１とＰＶＲ録画管理部３０２の双方に予約のための制御（詳細は後述）を行う構成となっている。
【００３８】
本実施形態における番組録画予約において、デジタルテレビジョン放送録画装置１０１は以下の特徴を有する。
（１）ＰＶＲ録画機能で録画可能であればＰＶＲ録画として録画し、ＰＶＲ録画機能で録画不可能であれば丸録り録画機能を利用してアーカイブ予約をする。
（２）上記でアーカイブ予約された番組は番組の録画終了後、自動的にＰＶＲ録画用記録装置２７０にダビングする。このように、アーカイブ予約とは、丸録り録画管理部３０１に対し、アーカイブ予約対象の番組を丸録り録画機能により録画させた後、当該番組の録画終了後に録画された番組内容をＰＶＲ録画用記録装置２７０にダビングさせることにより番組予約録画を実現するものである。
（３）通常のＰＶＲ予約であるのかアーカイブ予約であるのかをユーザが識別できるように、予約画面やＥＰＧ画面上に、ＰＶＲ予約およびアーカイブ予約を識別するための印を合成して表示する。なお、この表示は、制御部２０５の表示制御機能２５１により、グラフィック処理部２０７に対して所定の印を合成させる制御をすることにより行われる。
【００３９】
次いで、制御部２０５が有する番組録画制御機能２５０による、番組予約に係る制御について図４、図５を用いて説明する。
図４に示す図は、ＥＰＧ等による番組表を用いた予約画面の一例であり、図５は、番組録画制御機能２５０による制御シーケンスを示すシーケンス図である。
【００４０】
図４の例では、チャネルｃｈ１からチャネルｃｈ５までの5チャネル分の１８：００〜２０：００までの番組表が示されている。そして、番組１−２と番組２−２がＰＶＲ予約され、番組３−２がアーカイブ予約されている様子が示されている。
【００４１】
図３に示したように、本実施形態では、ＰＶＲ録画として２チャネル分の録画が可能であるものとしている。図４に示した例では、ユーザが３チャネル分の予約をしていることになるが、ＰＶＲ録画は２チャネル分のみが可能であるので、残りの１チャネル分の番組３−２の録画予約は、予約処理部３０３により、自動的にアーカイブ予約として設定される。そのための制御シーケンスが、図５に示すものである。
【００４２】
ここで、図５に示す制御シーケンスについて説明する。
図５の例は、図４に示す番組予約がなされる場合の制御シーケンスの一例であり、同図に示すユーザからの予約指示の時点で、すでに番組１−２と番組２−２がＰＶＲ予約されているものとする。
【００４３】
はじめに、予約処理部３０３が、ユーザからの番組３−２の予約指示を受けると（ｔ１）、ＰＶＲ録画管理部３０２に当該番組３−２の予約確認をする（ｔ２）。この間、丸録り録画管理部３０１の制御により丸録り録画用記録装置２７１への書き込み（録画）が随時実行されている（ｔ３）。
【００４４】
このときＰＶＲ予約録画が可能であれば、ＰＶＲ録画管理部３０２によりＰＶＲ録画予約として録画の予約がなされる。しかし、本例では、すでに２チャネル分の番組１−２と番組２−２がＰＶＲ予約されているので、ＰＶＲ録画管理部３０２は、予約処理部３０３からの予約確認に対し、ＰＶＲ予約が満杯であることを示す応答を返す（ｔ４）。
【００４５】
すると、予約処理部３０３は、ＰＶＲ録画予約が不可能であるので、丸録り録画管理部３０１に対し番組３−２のアーカイブ予約を要求する（ｔ５）。
アーカイブ予約の要求を受けた丸録り録画管理部３０１は、アーカイブ予約を受け付けたことを示す確認の応答を返す（ｔ６）。
【００４６】
図４に示すように番組３−２は、１９：３０に番組終了するので、この時刻になると、丸録り録画管理部３０１は、ＰＶＲ録画管理部３０２に対し、丸録り録画用記録装置２７１からＰＶＲ録画用記録装置２７０へのダビング（ここではアーカイブと称す）を開始することを指示する（ｔ７）。
丸録り録画管理部３０１からアーカイブ開始の指示を受けたＰＶＲ録画管理部３０２は、その確認の応答を返す（ｔ８）。
【００４７】
以後、丸録り録画管理部３０１は、丸録り録画用記録装置２７１に読み出し要求を送り（ｔ９）、その応答として所定単位の録画番組の録画データを受ける（ｔ１０）。
【００４８】
丸録り録画用記録装置２７１から録画データを受けた丸録り録画管理部３０１は、ＰＶＲ録画管理部３０２に、録画データとともに書き込み要求を送る（ｔ１１）。
書き込み要求を受けたＰＶＲ録画管理部３０２は、丸録り録画管理部３０１から受けた録画データをＰＲＶ録画用記録装置２７０に書き込む（ｔ１２）。
【００４９】
ＰＲＶ録画用記録装置２７０での録画データの書き込みが完了すると、ＰＲＶ録画用記録装置２７０から書き込み終了の応答がＰＶＲ録画管理部３０２に送られる（ｔ１３）。
ＰＲＶ録画用記録装置２７０から書き込み終了の応答を受けたＰＶＲ録画管理部３０２は、丸録り録画管理部３０１に対し、ＰＶＲ録画用記録装置２７０への録画データの書き込みが完了したことを示す応答を返す（ｔ１４）。
【００５０】
以上ｔ９〜ｔ１４までのシーケンスが、番組３−２の全録画データの丸録り用記録装置２７１からＰＶＲ録画用記録装置２７０へのダビングが完了するまで繰り返される。
【００５１】
そして、番組３−２の全録画データの丸録り用記録装置２７１からＰＶＲ録画用記録装置２７０へのダビングが完了した時点で、丸録り録画管理部３０１からＰＶＲ録画管理部３０２へアーカイブ完了の通知が送られ（ｔ１５）、ＰＶＲ録画管理部３０２から丸録り録画管理部３０１へ確認の応答が返される（ｔ１６）。
【００５２】
以上のようにして、ユーザの予約指示からはじまるアーカイブ予約の一例の処理が制御部２０５の番組録画制御機能２５０によって実行される。
上記例では、１チャネル分の番組３−２をアーカイブ予約しているが、もちろん丸録り録画機能により録画可能なチャネル数分のアーカイブ予約が可能である。
【００５３】
以上説明したように、本実施形態のデジタルテレビジョン放送録画装置１０１では、上記アーカイブ予約によって、従来のＰＶＲ録画予約で可能であった予約チャネル数よりも多いチャネル数の番組を予約録画することが可能となる。
【００５４】
なお、本実施形態において、以下の応用も採用することができる。
（応用１）
丸録り録画機能が放送チャネルの全チャネルをサポートしていない場合に、丸録り録画可能な番組のＰＶＲ録画予約をアーカイブ予約に振り替え、丸録り録画対象外の番組の予約をＰＶＲ録画機能により予約録画するようにする。このようにすることで、実質的に丸録り録画対象のチャネルの枠を広げることができる。また、この振り替えを、ＰＶＲ録画予約で録画不可能な数の番組を予約されたときに、丸録り録画とＰＶＲ録画とで重複するチャネルの番組に対するＰＶＲ録画予約に対して実行するようにしてもよい。
【００５５】
（応用２）
移動のみ可能な番組内容は、丸録り録画用記録装置２７１からＰＶＲ録画用記録装置２７０へ録画データを移動すると、丸録り録画用記録装置２７１側の録画データが消去され、丸録り録画側で番組の視聴ができなくなる。これに対処するため、以下のように制御することもできる。
（１）アーカイブ予約されていても、アーカイブ予約対象の番組の録画データを、録画終了後も一定期間移動させず、録画データが自動消去される前の、丸録り録画用記録装置２７１からＰＶＲ録画用記録装置２７０への移動を十分行えるタイミングで、自動的に移動させる。あるいは、
（２）アーカイブ予約による録画終了後、ユーザに録画データの移動の可否を表示等により提示し、ユーザの確認操作を受け、ユーザ操作に応じて移動させるか、そのままにして自動消去させる。
【００５６】
（応用３）
特定の時間帯のみ丸録り録画するよう設定されている場合で、アーカイブ予約対象となる番組の放送時間帯が丸録り録画の記録時間帯になっていない場合、アーカイブ予約対象となる番組の放送時間帯を丸録り録画の記録時間帯として設定する。
以上、本発明の一実施形態に係るデジタルテレビジョン放送録画装置について説明した。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、本発明は、上述したデジタルテレビジョン放送録画装置に限らず、デジタルテレビジョン放送受像器に適用することができる。また、アナログテレビジョン放送対応の録画装置や受像器や、アナログテレビジョン放送およびデジタルテレビジョン放送両対応の録画装置や受像器にも適用することができる。
【図面の簡単な説明】
【００５８】
【図１】本発明の一実施形態に係るデジタルテレビジョン放送録画装置の利用環境を示す図である。
【図２】同実施形態のデジタルテレビジョン放送録画装置の主要な信号処理系を示すブロック図である。
【図３】同実施形態のデジタルテレビジョン放送録画装置の、本発明に係わる機能ブロックを概念的に示す図である。
【図４】同実施形態におけるＥＰＧ等による番組表を用いた予約画面の一例を示す図である。
【図５】同実施形態における番組録画制御機能２５０による制御シーケンスを示すシーケンス図である。
【符号の説明】
【００５９】
１０１…デジタルテレビジョン放送録画装置、１１１…デジタルテレビジョン放送受像器、１２１…ＢＳ／ＣＳデジタル放送受信用のアンテナ、１２２…地上波放送受信用のアンテナ、２０２ａ、２０４ａ…チューナ、２０２ｂ…ＰＳＫ復調器、２０４ｂ…ＯＦＤＭ復調器、２０２ｃ、２０４ｃ…ＴＳ復号器、２０５…制御部、２０６…信号処理部、２５０…番組録画制御機能、２５１…表示制御機能、２７０…ＰＶＲ録画用記録装置、２７１…丸録り録画用記録装置、２２０…操作部、２２１…リモートコントローラ。
【図１】
2010118867.tif 000003
【図２】
2010118867.tif 000004
【図３】
2010118867.tif 000005
【図４】
2010118867.tif 000006
【図５】
2010118867.tif 000007
【手続補正書】
【提出日】平成22年2月1日(2010.2.1)
【手続補正１】
【補正対象書類名】特許請求の範囲
【補正対象項目名】請求項１
【補正方法】変更
【補正の内容】
【請求項１】
ユーザ指定による番組予約録画機能および多チャネルの番組の自動録画機能を有する、テレビジョン放送の録画装置であって、
前記各機能毎の記憶手段および複数のチューナと、
ユーザ指定による番組の予約に対し前記ユーザ指定による番組予約録画機能用のチューナが足りない場合には、前記多チャネルの番組の自動録画機能により該自動録画機能用のチューナを用いて自動録画された当該番組の録画データを、前記ユーザ指定による番組予約録画機能による録画データとして記録手段へ記録させる番組録画制御手段とを有する
ことを特徴とする録画装置。
【手続補正２】
【補正対象書類名】特許請求の範囲
【補正対象項目名】請求項２
【補正方法】変更
【補正の内容】
【請求項２】
前記多チャネルの番組の自動録画機能により該自動録画機能用のチューナを用いて自動録画された当該番組の録画データを、前記ユーザ指定による番組予約録画機能による録画データとして記録手段へ記録させる制御は、前記多チャネルの番組の自動録画機能により録画データが記録された該自動録画機能用の記憶手段から、ユーザ指定による番組予約録画機能により録画データが記録される該番組予約録画機能用の記憶手段へダビングすることにより行われることを特徴とする請求項１に記載の録画装置。
【手続補正３】
【補正対象書類名】特許請求の範囲
【補正対象項目名】請求項８
【補正方法】変更
【補正の内容】
【請求項８】
ユーザ指定による番組予約録画機能および多チャネルの番組の自動録画機能を有し、該各機能毎の記憶手段および複数のチューナを備えるテレビジョン放送の録画装置の制御方法であって、
ユーザ指定による番組の予約に対し前記ユーザ指定による番組予約録画機能用のチューナが足りない場合には、前記多チャネルの番組の自動録画機能により該自動録画機能用のチューナを用いて自動録画された当該番組の録画データを、前記ユーザ指定による番組予約録画機能による録画データとして記録手段へ記録させる
ことを特徴とする録画装置の制御方法。
【手続補正４】
【補正対象書類名】明細書
【補正対象項目名】０００６
【補正方法】変更
【補正の内容】
【０００６】
上記の目的を達成するために、この発明においては、ユーザ指定による番組予約録画機能および多チャネルの番組の自動録画機能を有する、テレビジョン放送の録画装置であって、前記各機能毎の記憶手段および複数のチューナと、ユーザ指定による番組の予約に対し前記ユーザ指定による番組予約録画機能用のチューナが足りない場合には、前記多チャネルの番組の自動録画機能により該自動録画機能用のチューナを用いて自動録画された当該番組の録画データを、前記ユーザ指定による番組予約録画機能による録画データとして記録手段へ記録させる番組録画制御手段とを有することを特徴とする録画装置を提供する。
【手続補正５】
【補正対象書類名】明細書
【補正対象項目名】０００７
【補正方法】変更
【補正の内容】
【０００７】
さらに、ユーザ指定による番組予約録画機能および多チャネルの番組の自動録画機能を有し、該各機能毎の記憶手段および複数のチューナを備えるテレビジョン放送の録画装置の制御方法であって、ユーザ指定による番組の予約に対し前記ユーザ指定による番組予約録画機能用のチューナが足りない場合には、前記多チャネルの番組の自動録画機能により該自動録画機能用のチューナを用いて自動録画された当該番組の録画データを、前記ユーザ指定による番組予約録画機能による録画データとして記録手段へ記録させることを特徴とする録画装置の制御方法を提供する。